(57)【要約】【課題】カバーに設けられるカムを左右横方向に移動可能にして上下方向の動作に左右横方向の動作を加えてコンタクトの開放量を拡大すると共に軌跡を変更してコンタクトの寿命を増大し、さらにまた、コンタクトを作動するためのカバーにおけるカム面を、対応するＩＣリードの形状やサイズに適合するように交換可能なコンタクト開放用のカムを設ける。【解決手段】ＩＣパッケージと、該ＩＣパッケージが装着されるソケット本体と、該ソケット本体に設けられた複数個のコンタクトと、上下動可能なカバーと、前記コンタクトを開閉作動するカム機構とを有するＩＣソケットにおいて、該カム機構は、前記カバーに移動可能に設けられた可動カムを有する。【選択図】        図１
2004311119.tif 000002
【特許請求の範囲】
【請求項１】
ＩＣパッケージと、該ＩＣパッケージが装着されるソケット本体と、該ソケット本体に設けられた複数個のコンタクトと、上下動可能なカバーと、前記コンタクトを開閉作動するカム機構とを有するＩＣソケットにおいて、
該カム機構は、前記カバーに移動可能に設けられた可動カムを有することを特徴とするＩＣソケット。
【請求項２】
前記カム機構は、前記カバーに交換可能に取付けられた固定のカムを有することを特徴とする請求項１記載のＩＣソケット。
【請求項３】
前記コンタクトは、固定コンタクト部と、該固定コンタクト部に対応して可動可能に設けられた可動コンタクト部とを有し、該可動コンタクト部を開閉作動する前記カム機構のカムに、前記可動コンタクト部をカム作動するカム面が設けられていることを特徴とする請求項１記載のＩＣソケット。
【請求項４】
前記コンタクトは、前記カバーが押圧される時に前記可動コンタクト部が前記固定コンタクト部から離れるように弾性変形できることを特徴とする請求項１記載のＩＣソケット。
【請求項５】
前記コンタクトは、前記ソケット本体に固定されるベース部と、該ベース部から直立して屈曲して延びる条片部から、分岐した固定コンタクト部、可動コンタクト部および作動部を有するように形成されていることを特徴とする請求項１記載のＩＣソケット。
【発明の詳細な説明】
【０００１】
【発明の属する技術分野】
本発明は、コンタクトの開放量の拡大と寿命の改善が期待できるＩＣソケットに係るもので、特に、ショートリードやロングリードのような形状やサイズ等の異なるＩＣリードを有するＩＣパッケージを装着する際に、ＩＣソケットの二点接触構造のコンタクトを開閉作動するための可動カムや交換可能なカムを有するＩＣソケットに関するものである。
【０００２】
【従来の技術】
従来、電気部品としてのＩＣパッケージ等が装着されるＩＣソケットにおいては、ソケット本体が保有するコンタクトと、このようなソケット本体に装着されたＩＣパッケージのＩＣリードとの開閉を行うＩＣソケットが知られている（特許文献１参照）。
【０００３】
特許文献１に示すように、このような従来のＩＣソケットの一例が図１０および図１１に示されており、図１０は従来のＩＣソケットの中央縦断面図で、図１１は図１０のＩＣソケットのカバーを押し下げてコンタクトを開放した状態のＩＣソケットの中央縦断面図である。
【０００４】
図示されるように、従来におけるＩＣソケット１００は、固定のソケット本体１０２と、中央に窪み部分を有する上下動可能なカバー１０３と、カバー１０３の下部に設けられたカム機構１０４と、ソケット本体１０２に設けられる複数個の二点接触構造のコンタクト１０５を有しており、周辺または両側に複数個の外部コンタクトとしてのＩＣリード１１１を有するＩＣパッケージ１１０がソケット本体１０２に装着されるように構成されている。コンタクト１０５は、固定コンタクト部１１４と、この固定コンタクト部１１４に対応して可動可能に設けられた可動コンタクト部１１５と、コンタクト１０５を開放作動するための作動部材１１６とを有する屈曲した特異な形状の二点接触構造に形成されている。さらに、コンタクト１０５は、ソケット本体１０２に取付けられるベース部１１７を有しており、下方に突出する端子部１１８がベース部１１７に設けられていて、検査装置や他の適宜な装置等に差込んで取付けできるように構成されている。
【０００５】
従って、カバー１０３が押圧される時に、作動機構１０４のカム面１１３によりコンタクト１０５の作動部１１６が外側に向って移動されて可動コンタクト部１１５が開放されるようになっている。この場合に、可動コンタクト部１１５の作動部１１６の先端部分は、図１１に点線で示されるように比較的小さな曲率の円弧に沿って矢印方向に軌跡を描くようになる。
【０００６】
【特許文献１】
特開２００２−３６７７４４号公報（第３〜４頁、図１〜４）
【０００７】
【発明が解決しようとする課題】
しかしながら、従来のこのようなＩＣソケットにおいては、コンタクトの実効作動長さに基づき、図示のような軌跡を描くものとなる。従って、このようなコンタクトの軌跡はカバーのカム部分により決定されるが、現状のカムの軌跡決定範囲が狭く、単一動作に限定されている。このために、コンタクトの開放量と軌跡の制約が大きく、コンタクトの寿命とＩＣパッケージの適用範囲が狭くなる問題が見られる。
【０００８】
さらにまた、従来におけるＩＣソケットにおいては、形状やサイズの異なるＩＣリードを有するＩＣパッケージ毎に、ＩＣソケットのカバーと基板を新規なものと取り換えている。従って、このような従来のＩＣソケットにおいて、形状やサイズの異なるＩＣリードを有するＩＣパッケージ毎に、ＩＣソケットのカバーと基板を新規なものと取り換えることは、ショートリードとロングリードのＩＣパッケージ用のＩＣソケットのための専用の金型がそれぞれ必要であり、多大なコストが必要となる。
【０００９】
従って、本発明の目的は、ＩＣソケットのカバーに設けられたカムを左右横方向に移動可能にして上下方向の動作に左右横方向の動作を加えてコンタクトの開放量を拡大すると共に軌跡を変更してコンタクトの寿命を増大できるようにしたＩＣソケットを提供することにある。
【００１０】
本発明の別の目的は、ＩＣソケットのコンタクトを作動するためのカバーにおけるカム面を、対応するＩＣリードの形状やサイズに適合するように交換可能なコンタクト開放用のカムを有するＩＣソケットを提供することにある。
【００１１】
【課題を解決するための手段】
上述の目的を達成するために、本発明のＩＣソケットは、ＩＣパッケージと、該ＩＣパッケージが装着されるソケット本体と、該ソケット本体に設けられた複数個のコンタクトと、上下動可能なカバーと、前記コンタクトを開閉作動するカム機構とを有するＩＣソケットにおいて、該カム機構が、前記カバーに移動可能に設けられた可動カムを有することを特徴とする。
【００１２】
また、本発明のＩＣソケットは、前記カム機構が、前記カバーに交換可能に設けられた固定のカムを有することを特徴とする。
【００１３】
さらに、本発明のＩＣソケットは、前記コンタクトが、固定コンタクト部と、該固定コンタクト部に対応して可動可能に設けられた可動コンタクト部とを有し、該可動コンタクト部を開閉作動する前記カム機構のカムに、前記可動コンタクト部をカム作動するカム面が設けられていることを特徴とする。
【００１４】
さらにまた、本発明のＩＣソケットは、前記コンタクトが、前記カバーが押圧される時に前記可動コンタクトが前記固定コンタクトから離れるように弾性変形できることを特徴とする。
【００１５】
本発明のＩＣソケットは、前記コンタクトが、前記ソケット本体に固定されるベース部と、該ベース部から直立して屈曲して延びる条片部から、分岐した固定コンタクト部、可動コンタクト部および作動部を有するように形成されていることを特徴とする。
【００１６】
本発明のその他の目的や特徴および利点は、添付図面に示される本発明の実施形態についての以下の詳細な説明から明らかである。
【００１７】
【発明の実施の形態】
（実施例１）
図１乃至図３は、本発明におけるＩＣソケットの実施例１を図示、説明するための図で、図１は、本発明のＩＣソケットの中央縦断面図で、図２は、図１のＩＣソケットの平面図、図３は図１のＩＣソケットのカバーを押圧して可動コンタクト部が開いた時の同様な縦断面図である。なお、本発明において一例として用いられるＩＣパッケージは、左右両側に多数のＩＣリード等の外部コンタクトが突出する長方形のＩＣ部品であるが、本発明は、このような長方形のＩＣ部品であるＩＣパッケージの適用に限られるものではなく、正方形や他の同様な形状のＩＣパッケージを利用できるものである。
【００１８】
図１乃至図３に示されるように、本発明のＩＣソケットにおける実施例１は、ショートリードやロングリード等の外部コンタクトを有するＩＣパッケージに共用されるＩＣソケットに係わるもので、ＩＣソケット１は、ソケット本体２と、中央に窪み部分を有する上下動可能なカバー３と、カバー３の下部に設けられたカム機構４と、ソケット本体２のＩＣパッケージ装着部６の両側に配置された複数個の二点接触構造のコンタクト５とから主に構成されており、周辺または両側に外部コンタクトとしてのＩＣリード１１を有するＩＣパッケージ１０がソケット本体２のＩＣパッケージ装着部６上に装着されるようになっている。
【００１９】
本発明におけるＩＣパッケージ１０は、本実施例では図示から理解されるように形状が長方形で、左右両側の側辺部分に沿って多数の外部コンタクトとしてのＩＣリード１１が突出するタイプのものであるが、図示のように長方形の形状に特に限定されるものではなく、正方形等のような形状でも良く、さらにまた、外部コンタクトであるＩＣリード１１も左右両側だけに限られるものでなく四方に突出するものでも良いことは勿論である。
【００２０】
図示されるように、本発明のＩＣソケットにおいて、ソケット本体２は、装着すべきＩＣパッケージ１０等が載置されて位置決めされるためのＩＣパッケージ装着部６が中央部分に設けられており、左右両側に多数のコンタクト５が並列して取付けられている。
【００２１】
また、カバー３は、中央に窪み部分が形成され、左右上面の外周縁辺部分に押圧面から成る押圧部３ａを有しており、第１カム面１２と第２カム面１３とが形成された可動カム７と、この可動カム７を水平横方向に弾性附勢するばね８とが、カバー３の下部に形成された空所内に設けられていて、可動カム７がばね８によって水平横方向に移動可能に弾性附勢されていて、コンタクト５の作動部１６と、ソケット本体２に設けられたスライドカム９と共に、カム機構４を形成している。
【００２２】
コンタクト５は、固定コンタクト部１４と、この固定コンタクト部１４に対応して可動可能に設けられた可動コンタクト部１５とを有する屈曲した特異な形状の二点接触構造を形成している。さらに、コンタクト５は、カム機構４と協同される作動部１６と、ソケット本体２に取付けられるベース部１７と、下方に突出する端子部１８と、ベース部１７から上方に延びる条片部１９とを有しており、端子部１８が検査装置や他の適宜な装置等に差込んで取付けできるように構成されている。
【００２３】
このように、カバー３の下方部分の空所内には、コンタクト５の可動コンタクト部１５の作動部１６が係合される第１カム面１２と、ソケット本体２に設けられたスライドカム９が係合される第２カム面１３とが形成された可動カム７が滑動可能に嵌合されており、さらに、ばね８によって水平横方向に内方に向って弾性的に押圧されるように構成されており、カバー３を下方に押圧した時に、カバー３の下部のカム機構４の可動カム７の第１カム面１２によって可動コンタクト部１５の作動部１６の先端部が図１にて下方外側に向って押されて、コンタクト５が彎曲変形され、これによって可動接点部１５が固定コンタクト部１４から離されてＩＣパッケージ１０のＩＣリード１１が開放されてフリーになるので、ロボットや手動によってＩＣパッケージ１０を挿入したり、あるいは取り出したりすることが出来る。
【００２４】
図１および図３に示されるように、コンタクト５は、固定コンタクト部１４と、この固定コンタクト部１４に対応して可動可能に設けられた可動コンタクト部１５とを有する二点接触構造に導電性の金属薄板から、例えば打抜き等によって形成されており、ベース部１７においてソケット本体２に固着されていて、このベース部１７から条片部１９が上方に直立して延び、かつほぼ直角に屈曲しており、この条片部１９の上部において固定コンタクト部１４と可動コンタクト部１５と作動部１６とに分岐されている。さらに、コンタクト５は、ベース部１７から下方に端子部１８が突出していて、図示しない他の適宜な装置の接続端子と接続できるようになっている。
【００２５】
このように、コンタクト５は、ソケット本体２に固着されるベース部１７と、ベース部１７から下方に突出する端子部１８と、ベース部１７から上方に屈曲して延びる条片部１９と、条片部１９の上部において固定コンタクト部１４と可動コンタクト部１５と作動部１６とに３つに分岐されるように図示の如き特異な形状に形成されており、固定コンタクト部１４においてＩＣパッケージ１０のＩＣリード１１と接触して下方から支持して、固定コンタクト部１４と可動コンタクト部１５との間にＩＣパッケージ１０のＩＣリード１１を挟持するようになっている。
【００２６】
他方、コンタクト５は、条片部１９の上方において３つに分岐した固定コンタクト部１４と可動接点部１５と作動部１６とを有しており、この可動コンタクト部１５の先端部分においてＩＣパッケージ１０のＩＣリード１１と上方から接触するように形成されている。また、条片部１９において分岐して作動部１６は上方に突出して延びており、この作動部１６の先端部が、カバー５の下部に設けられたカム機構４の可動カム７の第１のカム面１２とカム係合してコンタクト５を開放作動するように構成されている。このように、特異な形状に形成されたコンタクト５は、屈曲した条片部１９において弾性変形できるようになっており、後述するように、可動カム７の横方向への移動と相俟って図３に示されるような軌跡を描くことが出来るようになっている。
【００２７】
また、コンタクト５の屈曲した条片部１９から分岐して上方に延びる作動部１６は、図示されるようにカバー５の下部のカム機構４の可動カム７の第１のカム面１２と当接しており、カバー５が下方に押圧される時に、可動カム７の第１のカム面１２によってカム作動されると同時に、可動カム７の第２のカム面１３がスライドカム９によってカム作動されて横方向外方に向って、ばね８のばね力に抗して移動されることによって、可動コンタクト部１５側の作動部１６の先端部を、下方への移動と横方向への移動との合成によって、図３に点線で示めされる軌跡のように大きな曲率をもった緩やかな円弧に沿って矢印方向に移動するように彎曲させるので、この可動コンタクト部１５の外方への大きな変形によって固定コンタクト部１４と可動コンタクト部１５との開放量が大きく採れるようになる。従って、可動コンタクト部１５は、固定コンタクト部１４上に置かれているＩＣパッケージ１０のＩＣリード１１から十分に離されて、図示されるように固定コンタクト部１４と可動コンタクト部１５とが大きく開放されるようになり、カム機構４によるコンタクト５の軌跡の決定範囲が大きくなって、単一動作に限定されることが無くなり、上下および左右横方向の合成された動作によってコンタクト５の開放量が大きくなってコンタクト５の軌跡の制約が縮小され、コンタクト５の寿命が大きく増大される。
【００２８】
従って、このようにカバー３の押圧によって可動カム７を有するカム機構４によって可動コンタクト部１５がＩＣパッケージ１０のＩＣリード１１から好適に開放されてＩＣパッケージ１０が自由になるので、ＩＣパッケージ１０をロボットや手動によって取り出すことができるようになる。
【００２９】
また、このようなカム機構４の可動カム７は、カバー３の下部に滑動可能に取付けられており、さらに適宜に交換できるように嵌め込まれているので、適用されるＩＣパッケージ１０のＩＣリード１１の形状やサイズ等に対応して適宜に交換することができ、カバ−３全体を交換することなく可動カム７だけを交換するだけで良く、ＩＣソケットの専用金型の必要を無くして金型費用の低減と手間の省略を図かることができると共に、コンタクトの寿命を好適に延長することができるので、コンタクトの性能を向上することができ、ショートリードとロングリードのＩＣパッケージ、カバー等の製作における金型コストや開発コスト等の削減を図ることができる。
【００３０】
（実施例２）
図４乃至図７は、本発明におけるＩＣソケットの実施例２を示すための図で、図４は、本発明のＩＣソケットの実施例２における中央縦断面図で、図５は、図４のＩＣソケットの平面図、図６は図４の可動コンタクト部が開いた時の同様な縦断面図で、図７はカバーに設けられるカム機構のカム部駒を示す図で、（ａ）は縦断面図で、（ｂ）は底面図である。
【００３１】
図示されるように、本発明の実施例２は、ＩＣパッケージのＩＣリードがショートリードかロングリードか、リードの種類に対応してカム機構のカム部駒を交換するＩＣソケットに係わるもので、ＩＣソケットは、先の実施例１におけるものとほぼ同様に構成されており、カム機構のカム部駒が交換できるように設けられていることが、先の実施例１のものと異なっている。
【００３２】
図示されるように、本発明の実施例２はショートリードのＩＣパッケージが適用されるＩＣソケットに係るもので、ＩＣソケット２０は、ソケット本体２２と、上下動可能なカバー２３と、カバー２３の下部に設けられたカム機構２４と、ソケット本体２２に設けられる複数個の二点接触構造のコンタクト２５とを有している。
【００３３】
ソケット本体２２は、装着すべきＩＣパッケージ２３等が載置される位置決めされて載置されるＩＣパッケージ装着部２６が中央部分に設けられており、左右両側に多数のコンタクト２５が並列して取付けられている。また、カバー２３は、中央に窪み部分が形成され、上面の外周縁辺部分に押圧面から成る押圧部２３ａを有しており、下部に、カム機構２４のカム面２８が形成されたカム部駒２７が嵌め込んで取付けられており、コンタクト２５の可動コンタクト部３５の作動部３６がカム係合されるように形成されている。
【００３４】
図４および図６に示されるように、コンタクト２５は、固定コンタクト部３４と、この固定コンタクト部３４に対応して可動可能に設けられた可動コンタクト部３５との二点接触構造に形成されており、固定コンタクト部３５のベース部３７においてソケット本体２２に固着され、このベース部３７から条片部３９が上方に直立して延び、かつほぼ直角に屈曲しており、この条片部３９の上部において固定コンタクト部３４と可動コンタクト部３５と作動部３６とに分岐されており、さらに、ベース部３７から下方に端子部３８が突出していて、図示しない他の適宜な装置の接続端子と接続できるようになっている。
【００３５】
コンタクト２５の固定コンタクト部３４は、ソケット本体２２に固着されるベース部３７と、ベース部３７から下方に突出する端子部３８と、ベース部３７から上方に延びてほぼ直角に屈曲している弾性変形可能な条片部３９とを有しており、条片部３９の上部において可動コンタクト部３５と作動部３６とに分岐しており、固定コンタクト部３４においてＩＣパッケージ３０のＩＣリード３１と接触して下方から支持するように形成されている。
【００３６】
他方、可動コンタクト部３５は、固定コンタクト部３４の条片部３９において分岐しており、この可動コンタクト部３５の先端においてＩＣパッケージ３０のＩＣリード３１と上方から接触するように形成されている。また、条片部３９において分岐して作動部３６が上方に突出して延びており、この作動部３６の先端部が、カバー２３の下部に取付けられたカム機構２４のカム部駒２７のカム面２８とカム係合してコンタクト２５を開放作動するように構成されている。このように、特異な形状に形成されたコンタクト２５は、屈曲した条片部３９において弾性変形できるようになっている。
【００３７】
また、可動コンタクト部３５の屈曲した条片部３９から分岐して上方に延びる作動部３６は、図示されるようにカバー２３の下部のカム機構２４のカム部駒２７のカム面２８に先端部が当接しており、カバー２３が下方に押圧される時に、カム部駒７のカム面２８によってカム作動されて作動部３６の先端部を図示で斜め下方外側に押圧して条片部３９を彎曲させるので、この条片部３９の外方への弾性変形によって可動コンタクト部３５が、固定コンタクト部３４上に置かれているＩＣパッケージ３０のＩＣリード３１から離されて、図６に示されるように固定コンタクト部３４と可動コンタクト部３５が開離されるようになる。
【００３８】
このように、カバー２３は、コンタクト２５の可動コンタクト部３５の作動部３６の先端部分が当接されてカム係合されるカム面２８が設けられたカム部駒２７が交換可能に取付けられており、カバー２３を下方に押圧した時に、カム機構２４のカム部駒２７のカム面２８によって可動コンタクト部３５の作動部３６の先端部が下方外側に向って押されて、可動コンタクト部３５が彎曲変形され、これによって可動コンタクト部３５が固定コンタクト部３４から離されてＩＣパッケージ３０のＩＣリード３１がフリーになるので、ロボットや手動によってＩＣパッケージ３０を取り出したり、あるいは新しいＩＣパッケージを装着することが出来る。
【００３９】
このように、本発明の実施例２においては、カム機構２４のカム部駒２７が、カバー２３の下部に交換可能に取付けられているので、適用されるＩＣパッケージ２０のＩＣリード２１の形状やサイズ等に対応して適宜に交換することができるので、カバ−２３全体を交換することなくカム部駒２７だけを交換するだけで良く、費用の低減と手間の省略を図かることができる。
【００４０】
このような本発明のＩＣソケット２０において、カバー２３をロボットや手動によって押圧すれば、カバー２３は、下方に降下して図示されるように、先ず、カム面２８がコンタクト２５の作動部３６の先端部に接触し、コンタクト２５を回動するようにコンタクト２５を外方に押圧するので、これによってコンタクト２５が外方に彎曲されて変形され、可動コンタクト部３４が固定コンタクト部３５またはＩＣパッケージ２０のＩＣリード２１から離れるので、ＩＣパッケージ２０を取り出すことができるし、あるいはまたＩＣパッケージ２０を新たに装着することができる。
【００４１】
（実施例３）
図８および図９は、本発明のＩＣソケットの実施例３を示すための図で、図８は、本発明のＩＣソケットの実施例３における中央縦断面図で、図９は図８の可動コンタクト部が開いた時の同様な縦断面図である。
【００４２】
図示されるように、本発明の実施例３は、ＩＣパッケージのＩＣリードがロングリードであるＩＣソケットに係わるもので、ＩＣソケットは、先の実施例２におけるものと同一に構成されており、カム部駒がロングリード用のカム面を有することが、先の実施例２のものと異なっている。
【００４３】
図示されるように、本発明の実施例３はロングリードのＩＣパッケージが適用されるＩＣソケットに係るもので、ＩＣソケット４０は、ソケット本体４２と、上下動可能なカバー４３と、カバー４３の下部に設けられたカム機構４４と、ソケット本体４２に設けられる複数個の二点接触構造のコンタクト４５とを有している。
【００４４】
図示されるように、ソケット本体４２とカバー４３とコンタクト４５は、先の実施例２におけると同じに構成されており、ソケット本体４２は、装着すべきＩＣパッケージ５０等が載置されて位置決めされるためのＩＣパッケージ装着部５６が中央部分に設けられており、左右両側に多数のコンタクト４５が並列して取付けられている。
【００４５】
また、カバー４３は、中央に窪み部分が形成され、上面の外周縁辺部分に押圧面から成る押圧部４３ａを有しており、ロングリード用のカム面４８が形成されたカムとしてのカム部駒４７が設けられていて、このカム部駒４７と、コンタクト４５の作動部４６と共に、カム機構４４を形成している。
【００４６】
さらに、コンタクト４５は、固定コンタクト部５４と、この固定コンタクト部５４に対応して可動可能に設けられた可動コンタクト部５５とを有する屈曲した特異な形状の二点接触構造を形成している。さらに、固定コンタクト部５４、可動コンタクト部５５等のコンタクト４５の各部分の構成も同じように形成されている。
【００４７】
従って、本発明の実施例３においても、カム機構４４のカム部駒４７が、カバー４３の下部に交換可能に取付けられているので、適用されるＩＣパッケージ５０のＩＣリード５１の形状やサイズ等に対応して、本実施例ではロングリードのＩＣパッケージ用のカム面４８を有するカム部駒４７が適宜に交換することができるように取付けられているので、カバ−４３全体を交換することなくカム部駒４７だけを交換するだけで良く、費用の低減と手間の省略を好適に図かることができる。
【００４８】
【発明の効果】
本発明の請求項１記載のＩＣソケットは、ＩＣパッケージと、該ＩＣパッケージが装着されるソケット本体と、該ソケット本体に設けられた複数個のコンタクトと、上下動可能なカバーと、前記コンタクトを開閉作動するカム機構とを有するＩＣソケットにおいて、該カム機構は、前記カバーに移動可能に設けられた可動カムを有するので、形状やサイズの異なるＩＣリードである外部コンタクトを有するＩＣパッケージに適切に対応することができ、カバ−全体を交換することなくカム部駒だけの交換で済み、費用の低減と手間の省略を図かることができると共に、コンタクトの開放をカム作動によって良好に行うことができ、かつコンタクトの寿命を改善でき、金型の多大なコストの削減が可能となる。
【００４９】
本発明の請求項２記載のＩＣソケットは、前記カム機構が、前記カバーに交換可能に取付けられた固定のカムを有するので、カバ−全体を交換することなくカムだけを交換するだけで良く、費用の低減と手間の省略を良好に図かることができる。
【００５０】
本発明の請求項３記載のＩＣソケットは、前記コンタクトが、固定コンタクト部と、該固定コンタクト部に対応して可動可能に設けられた可動コンタクト部とを有し、該可動コンタクト部を開閉作動する前記カム機構のカムに、前記可動コンタクト部をカム作動するカム面が設けられているので、コンタクトの開放量を増大できると共に寿命を改善することができる。
【００５１】
本発明の請求項４記載のＩＣソケットは、前記コンタクトが、前記カバーが押圧される時に前記可動コンタクト部が前記固定コンタクト部から離れるように弾性変形できるので、可動コンタクト部が良好に開放作動され、コンタクトの寿命を良好に延長することができる。
【００５２】
本発明の請求項５記載のＩＣソケットは、前記コンタクトが、前記ソケット本体に固定されるベース部と、該ベース部から直立して屈曲して延びる条片部から、分岐した固定コンタクト部、可動コンタクト部および作動部を有するように形成されているので、コンタクトを良好に構成して製作することができ、コンタクトの開放をカム作動によって良好に行うことができると共に、コンタクトの寿命を良好に改善することができる。
【図面の簡単な説明】
【図１】本発明のＩＣソケットの実施例１における中央縦断面図である。
【図２】図１のＩＣソケットの平面図である。
【図３】図１の本発明のＩＣソケットにおいてカバーを押圧してコンタクトを開いた状態の時のＩＣソケットの中央縦断面図である。
【図４】本発明のＩＣソケットの実施例２における中央縦断面図である。
【図５】図４のＩＣソケットの平面図である。
【図６】図４の本発明の実施例２のＩＣソケットにおいてカバーを押圧してコンタクトを開いた状態の時のＩＣソケットの中央縦断面図である。
【図７】図４の本発明の実施例２のＩＣソケットのカム部駒を示す図で、（ａ）は側面図で、（ｂ）は底面図である。
【図８】本発明のＩＣソケットの実施例３における中央縦断面図である。
【図９】図８の本発明のＩＣソケットにおいてカバーを押圧してコンタクトを開いた状態の時のＩＣソケットの中央縦断面図である。
【図１０】従来のＩＣソケットにおける中央縦断面図である。
【図１１】図１０の従来のＩＣソケットにおいてカバーを押圧してコンタクトを開いた状態の時のＩＣソケットの中央縦断面図である。
【符号の説明】
１        ＩＣソケット
２        ソケット本体
３        カバー
４        カム機構
５        コンタクト
６        ＩＣパッケージ装着部
７        可動カム
８        ばね
９        スライドカム
１０      ＩＣパッケージ
１１      ＩＣリード（外部コンタクト）
１２      カム面（第１）
１３      カム面（第２）
１４      固定コンタクト部
１５      可動コンタクト部
１６      作動部
１７      ベース部
１８      端子部
１９      条辺部
２０      ＩＣソケット
２２      ソケット本体
２３      カバー
２４      カム機構
２５      コンタクト
２６      ＩＣパッケージ装着部
２７      可動カム
２８      ばね
２９      スライドカム
３０      ＩＣパッケージ
３１      ＩＣリード（外部コンタクト）
３２      カム面（第１）
３３      カム面（第２）
３４      固定コンタクト部
３５      可動コンタクト部
３６      作動部
３７      ベース部
３８      端子部
３９      条辺部
４０      ＩＣソケット
４２      ソケット本体
４３      カバー
４４      カム機構
４５      コンタクト
４６      ＩＣパッケージ装着部
４７      カム部駒
４８      カム面
５０      ＩＣパッケージ
５１      ＩＣリード（外部コンタクト）
５４      固定コンタクト部
５５      可動コンタクト部
５６      作動部
５７      ベース部
５８      端子部
５９      条辺部
【図１】
2004311119.tif 000003
【図２】
2004311119.tif 000004
【図３】
2004311119.tif 000005
【図４】
2004311119.tif 000006
【図５】
2004311119.tif 000007
【図６】
2004311119.tif 000008
【図７】
2004311119.tif 000009
【図８】
2004311119.tif 000010
【図９】
2004311119.tif 000011
【図１０】
2004311119.tif 000012
【図１１】
2004311119.tif 000013